(57)【要約】  本発明は、漢方薬材の気調貯蔵システムに関し、中央制御装置と、それぞれが漢方薬材を格納する１つ又は複数の気密保囲構造を管理する１つ又は複数の漢方薬材気調貯蔵サブシステムとを備え、中央制御装置は、リアルタイムで１つ又は複数の漢方薬材気調貯蔵サブシステムを監視し、１つ又は複数の気密保囲構造中の酸素含有量と湿度を制御するように配置される。また、漢方薬材の気調貯蔵システムの制御方法は、リアルタイムでそれぞれが漢方薬材を格納する１つ又は複数の気密保囲構造を管理する１つ又は複数の漢方薬材気調貯蔵サブシステムを監視するステップと、リアルタイムで１つ又は複数の気密保囲構造中の酸素含有量と湿度を制御するステップとを含む。本発明は、中央制御装置によってマルチシステム、マルチスペースの集中制御を実現することができるだけでなく、ユーザの端末機器と接続して、リアルタイムでデータを端末のユーザに転送することもできる。同時に、異なる種類の薬材の殺虫や養護のニーズに対応するために、最適な養護貯蔵又は殺虫調整制御パラメータの自動的生成や、中・大規模の漢方薬材倉庫管理要件の達成、不要な手動操作の低減、倉庫管理者のプロレベルに対する要求の低下、管理効率の向上を実現し、倉庫管理システムのトレーサビリティ管理を実現し、漢方薬材の全プロセスの管理を保証し、企業の運営コストを削減すると共に、漢方薬材の品質保証を向上させることができる。【選択図】図１
2021512026.tif 000002
【特許請求の範囲】
【請求項１】
中央制御装置と、
それぞれが漢方薬材を格納する１つ又は複数の気密保囲構造を管理する１つ又は複数の漢方薬材気調貯蔵サブシステムと、を備え、
中央制御装置は、リアルタイムで１つ又は複数の漢方薬材気調貯蔵サブシステムを監視し、１つ又は複数の気密保囲構造中の酸素含有量と湿度を制御するように配置される漢方薬材の気調貯蔵システム。
【請求項２】
中央制御装置は、１つ又は複数の気密保囲構造の温度を監視及び制御するように配置される請求項１に記載の漢方薬材の気調貯蔵システム。
【請求項３】
中央制御装置は、１つ又は複数の気密保囲構造の二酸化炭素含有量を監視及び制御するように配置される請求項１に記載の漢方薬材の気調貯蔵システム。
【請求項４】
漢方薬材気調貯蔵サブシステムは、
１つ又は複数のセンサーからの情報に基づいて実行命令を生成するように配置された総合検査制御装置と、
実行命令を受信して１つ又は複数の気密保囲部の酸素含有量、湿度、温度、及び二酸化炭素含有量のうちの１者又は２者以上を調整するように配置された１つ又は複数の実行装置と、を備える請求項１に記載の漢方薬材の気調貯蔵システム。
【請求項５】
１つ又は複数の実行装置は、低酸素装置、湿度制御装置、空調システム、制御弁のうちの１者又は２者以上を備える請求項４に記載の漢方薬材の気調貯蔵システム。
【請求項６】
漢方薬材気調貯蔵サブシステムは、複数の気密保囲構造を備え、各気密保囲構造の酸素含有量及び湿度は個別に制御可能である請求項５に記載の漢方薬材の気調貯蔵システム。
【請求項７】
漢方薬材気調貯蔵サブシステムは、複数組の気密保囲構造を備え、各組の気密保囲構造は、１つ又は複数の気密保囲部を含み、各組の気密保囲構造の酸素含有量及び湿度は個別に制御可能である請求項５に記載の漢方薬材の気調貯蔵システム。
【請求項８】
漢方薬材気調貯蔵サブシステムは、複数組の気密保囲構造を備え、各組の気密保囲構造は、１つ又は複数の気密保囲構造を含み、各組の気密保囲構造の酸素含有量は個別に制御可能であり、少なくとも１組の気密保囲構造における各気密保囲構造の湿度は個別に制御可能である請求項５に記載の漢方薬材の気調貯蔵システム。
【請求項９】
漢方薬材気調貯蔵サブシステムは、複数の気密保囲構造を備え、各気密保囲構造は独立の制御弁を介して低酸素装置及び／又は湿度制御装置に接続され、独立並列構造を形成する請求項５に記載の漢方薬材の気調貯蔵システム。
【請求項１０】
漢方薬材気調貯蔵サブシステムは、複数組の気密保囲構造を備え、各組の気密保囲構造は１つ又は複数の気密保囲構造を備え、各組の気密保囲構造は独立の組制御弁を備え、各気密保囲構造は独立の制御弁を備え、各気密保囲構造はその制御弁と組制御弁を介して低酸素装置及び／又は湿度制御装置に接続され、組分け並列構造を形成する請求項５に記載の漢方薬材の気調貯蔵システム。
【請求項１１】
各組の気密保囲構造は、独立の組湿度制御装置を備え、各気密保囲構造は、その制御弁と組制御弁を介して組湿度制御装置に接続され、さらに共通の低酸素装置に接続される請求項１０に記載の漢方薬材の気調貯蔵システム。
【請求項１２】
漢方薬材気調貯蔵サブシステムは、複数組の気密保囲構造を備え、各組の気密保囲構造は１つ又は複数の気密保囲部を含み、各組の気密保囲構造は独立の組制御弁を備え、各気密保囲構造は組制御弁を介して低酸素装置及び／又は湿度制御装置に接続され、組分け直列構造を形成する請求項５に記載の漢方薬材の気調貯蔵システム。
【請求項１３】
各組の気密保囲構造は、独立の組湿度制御装置を備え、各気密保囲構造は組制御弁を介してその組湿度制御装置に接続され、さらに共通の低酸素装置に接続される請求項１２に記載の漢方薬材の気調貯蔵システム。
【請求項１４】
リアルタイムでそれぞれが漢方薬材を格納する１つ又は複数の気密保囲構造を管理する１つ又は複数の漢方薬材気調貯蔵サブシステムを監視するステップと、
リアルタイムで１つ又は複数の気密保囲構造中の酸素含有量と湿度を制御するステップとを含む漢方薬材の気調貯蔵システムの制御方法。
【請求項１５】
１つ又は複数のセンサーからの情報に基づいて実行命令を生成するステップと、
実行命令を受信して１つ又は複数の気密保囲部の酸素含有量、湿度、温度、及び二酸化炭素含有量のうちの１者又は２者以上を調整するステップと、をさらに含む請求項１４に記載の漢方薬材の気調貯蔵システムの制御方法。
【請求項１６】
１つ又は複数のセンサーからの情報を中央制御装置に送信するステップをさらに含む請求項１５に記載の漢方薬材の気調貯蔵システムの制御方法。
【請求項１７】
１つ又は複数のセンサーからの情報に基づいて対応する予め設定した閾値と比較するステップをさらに含む請求項１６に記載の漢方薬材の気調貯蔵システムの制御方法。
【請求項１８】
中央制御装置の予め設定した閾値の更新命令を受信するステップをさらに含む請求項１７に記載の漢方薬材の気調貯蔵システムの制御方法。
【請求項１９】
漢方薬材気調貯蔵サブシステムは、複数組の気密保囲構造を備え、各組の気密保囲構造は１つ又は複数の気密保囲構造を備え、各組の気密保囲構造の酸素含有量及び湿度を個別に制御するステップをさらに含む請求項１５に記載の漢方薬材の気調貯蔵システムの制御方法。
【請求項２０】
漢方薬材気調貯蔵サブシステムは、複数組の気密保囲構造を備え、各組の気密保囲構造は１つ又は複数の気密保囲構造を備え、各組の気密保囲構造の酸素含有量を個別に制御するステップと、少なくとも１組の気密保囲構造における各気密保囲構造の湿度を個別に制御するステップとをさらに含む請求項１５に記載の漢方薬材の気調貯蔵システムの制御方法。
【発明の詳細な説明】
【技術分野】
【０００１】
本発明は、漢方薬の貯蔵分野に関し、特に、漢方薬材の気調貯蔵システム及びその制御方法に関する。
【背景技術】
【０００２】
漢方薬材は、薬用価値の高い作物として、病気の予防や保健に大きな役割を果たしており、その品質は、その産地、貯蔵方式や環境と密接に関係している。漢方薬材は貯蔵過程において、温度、湿度、空気、光照射、カビと害虫等の要因に影響され、しばしばカビの発生、虫食い、変色、油浮き、風化等の現象が現れて、薬効を低下・消失させ、さらに毒副作用を生じさせ、特に大量の漢方薬材を保存する場合、このような問題がより深刻となり、その経済的利益に影響を及ぼすだけでなく、漢方薬材の臨床応用の有効性と安全性も奪うことになる。
【０００３】
【数１】
2021512026.tif 000003
【発明の概要】
【発明が解決しようとする課題】
【０００４】
製薬企業にとって、薬材の種類が多く、貯蔵量が大きい等の問題に直面しており、如何に現代化技術手段を採用して、漢方薬材の倉庫管理過程における「殺虫・防虫、防カビ・殺菌、性状保持、水分制御」等の要求を満たし、漢方薬材の経済、安全、高効率的な倉庫化管理を実現することが焦眉の急と言えることであった。
【課題を解決するための手段】
【０００５】
【数２】
2021512026.tif 000004
【０００６】
上記のようなシステムであって、中央制御装置は、１つ又は複数の気密保囲構造の温度を監視及び制御するように配置される。
【０００７】
上記のようなシステムであって、中央制御装置は、１つ又は複数の気密保囲構造の二酸化炭素含有量を監視及び制御するように配置される。
【０００８】
【数３】
2021512026.tif 000005
【０００９】
上記のようなシステムであって、総合検査制御装置は、１つ又は複数のセンサーからの情報を中央制御装置に送信するように配置される。
【００１０】
上記のようなシステムであって、総合検査制御装置は、１つ又は複数のセンサーからの情報に基づいて対応する予め設定した閾値と比較するように配置される。
【００１１】
上記のようなシステムであって、総合検査制御装置は、中央制御装置の予め設定した閾値の更新命令を受信するように配置される。
【００１２】
上記のようなシステムであって、１つ又は複数の実行装置は、低酸素装置、湿度制御装置、空調システム、制御弁のうちの１者又は２者以上を備える。
【００１３】
上記のようなシステムであって、漢方薬材気調貯蔵サブシステムは、複数の気密保囲構造を備え、各気密保囲構造の酸素含有量及び湿度は個別に制御可能である。
【００１４】
上記のようなシステムであって、漢方薬材気調貯蔵サブシステムは、複数組の気密保囲構造を備え、各組の気密保囲構造は、１つ又は複数の気密保囲部を含み、各組の気密保囲構造の酸素含有量及び湿度は個別に制御可能である。
【００１５】
上記のようなシステムであって、漢方薬材気調貯蔵サブシステムは、複数組の気密保囲構造を備え、各組の気密保囲構造は、１つ又は複数の気密保囲部を含み、各組の気密保囲構造の酸素含有量は個別に制御可能であり、少なくとも１組の気密保囲構造における各気密保囲構造の湿度は個別に制御可能である。
【００１６】
漢方薬材の気調貯蔵システムの制御方法であって、リアルタイムでそれぞれが漢方薬材を格納する１つ又は複数の気密保囲構造を管理する１つ又は複数の漢方薬材気調貯蔵サブシステムを監視するステップと、リアルタイムで１つ又は複数の気密保囲構造中の酸素含有量と湿度を制御するステップとを含む。
【００１７】
上記のような方法であって、さらに、１つ又は複数のセンサーからの情報に基づいて実行命令を生成するステップと、実行命令を受信して１つ又は複数の気密保囲部の酸素含有量、湿度、温度、及び二酸化炭素含有量のうちの１者又は２者以上を調整するステップとを含む。
【００１８】
上記のような方法であって、さらに、１つ又は複数のセンサーからの情報を中央制御装置に送信するステップを含む。
【００１９】
上記のような方法であって、さらに、１つ又は複数のセンサーからの情報に基づいて対応する予め設定した閾値と比較するステップを含む。
【００２０】
上記のような方法であって、さらに、中央制御装置の予め設定した閾値の更新命令を受信するステップを含む。
【発明の効果】
【００２１】
本発明は、中央制御装置によってマルチシステム、マルチスペースの集中制御を実現することができるだけでなく、ユーザの端末機器と接続して、リアルタイムでデータを端末のユーザに転送することもできる。同時に、異なる種類の薬材の殺虫や養護のニーズに対応するために、最適な養護貯蔵又は殺虫調整制御パラメータの自動的生成や、中・大規模の漢方薬材倉庫管理要件の達成、不要な手動操作の低減、倉庫管理者のプロレベルに対する要求の低下、管理効率の向上を実現し、倉庫管理システムのトレーサビリティ管理を実現し、漢方薬材の全プロセスの管理を保証し、企業の運営コストを削減すると共に、漢方薬材の品質保証を向上できる。
【図面の簡単な説明】
【００２２】
以下、本発明の好ましい実施形態について、図面を参照しながらさらに詳しく説明する。
【図１】本発明の一実施例による漢方薬材の気調貯蔵システムの模式図である。
【図２】本発明の一実施例による漢方薬材の気調貯蔵システムの制御模式図である。
【図３】本発明の一実施例による漢方薬材気調貯蔵サブシステムの模式図である。
【図４Ａ】本発明の一実施例による純度調節ユニットの模式図である。
【図４Ｂ】本発明の他の実施例による純度調節ユニットの模式図である。
【図５】本発明の一実施例による独立並列型の漢方薬材気調貯蔵サブシステムの接続模式図である。
【図６】本発明の一実施例による組分け並列型の漢方薬材気調貯蔵サブシステムの接続模式図である。
【図７】本発明の他の実施例による組分け並列型の漢方薬材気調貯蔵サブシステムの接続模式図である。
【図８】本発明の一実施例による組分け直列型の漢方薬材気調貯蔵サブシステムの接続模式図である。
【図９】本発明の他の実施例による組分け直列型の漢方薬材気調貯蔵サブシステムの接続模式図である。
【図１０】本発明の一実施例によるガス調節方法のフローチャートである。
【図１１】本発明の一実施例によるガス分配装置の模式図である。
【図１２】本発明の一実施例による低酸素方法のフローチャートである。
【図１３】本発明の一実施例による知能倉庫エキスパートシステムの構成ブロック図である。
【図１４】本発明の一実施例によるパラメータ設定モジュールの構成ブロック図である。
【図１５】本発明の一実施例による情報照会モジュールの構成ブロック図である。
【図１６】本発明の一実施例によるリアルタイム表示モジュールの構成ブロック図である。
【図１７】本発明の一実施例による故障情報モジュールの構成ブロック図である。
【図１８】本発明の一実施例によるデータ格納モジュールの構成ブロック図である。
【図１９】本発明の一実施例による遠隔制御モジュールの構成ブロック図である。
【図２０】本発明の一実施例によるカツタム倉庫管理モジュールの構成ブロック図である。
【発明を実施するための形態】
【００２３】
本発明の実施例の目的、技術案及び利点をより明確にするために、以下では本発明の実施例における図面を参照しながら本発明の実施例における技術案について明確かつ完全に説明する。勿論、説明する実施例は本発明の一部の実施例であり、全ての実施例ではないことは言うまでもない。本発明における実施例に基づいて、当業者が創造的労働を必要せずに得られる他の全ての実施例は、いずれも本発明の保護範囲内である。
【００２４】
以下の詳細な説明では、本願の一部である本願を説明するための特定の実施例の各図面を参照することができる。図面においては、類似な符号は異なる図面においておおむね類似な構成部品を表している。本願の各特定の実施例は以下で十分に詳しく説明されて、本分野の関連知識と技術を備える当業者は本願の技術案を実施可能になる。なお、他の実施例を利用するか、又は本願の実施例について構造的、論理的もしくは電気的な変更を行ってもよいことを理解すべきである。
【００２５】
図１は、本発明の一実施例による漢方薬材の気調貯蔵システムの模式図である。図１に示すように、漢方薬材の倉庫の貯蔵室の面積や、倉庫の貯蔵室のフロア等の制限条件により、漢方薬材の気調貯蔵システム１００に複数の領域を設定することができ、各領域内に１つ又は複数の漢方薬材気調貯蔵サブシステム１１０〜１２０等を配置してもよい。
【００２６】
図２は、本発明の一実施例による漢方薬材の気調貯蔵システムの制御模式図である。図１と図２に示すように、中央制御装置１３０は、漢方薬材気調貯蔵サブシステム１１０〜１２０の総合検査制御装置２２１〜２２３と通信接続され、各漢方薬材気調貯蔵サブシステム１１０〜１２０が発した情報を受信し、各サブシステムの稼動状態への集中、リアルタイムなモニタリング、漢方薬材の養護空間内の環境パラメータの集中的表示等を実現する。
【００２７】
図２に示すように、２２１〜２２３は単一の漢方薬材気調貯蔵サブシステムの総合モニタリング装置をそれぞれ指している。１つの漢方薬材気調貯蔵サブシステムを例とすると、１つの漢方薬材気調貯蔵サブシステムは、１つの総合検査制御装置２２１を備え、漢方薬材気調貯蔵サブシステムにおける、温度・湿度センサー２３１、圧力センサー、Ｏ２センサー、ＣＯ２センサー、ガス流量センサー等の各センサー又はその他の関連検出装置の発した情報を受信し、情報の内容を分析してデータを内蔵したパラメータと比較し、命令を各装置に送信して各部分のガスの流速、組成等を制御する。命令を受信しガスを輸送する装置は、低酸素装置２４１、湿度制御装置２４２、空調システム２４３、制御弁２４４、バルブアクチュエータ２４５等を含むが、これらに限定されない。同時に、総合検査制御装置２２１は、受信した各センサー及び関連検出装置の情報、及びデータの分析・比較、処理の結果を中央制御装置２１０に送信する。その他の各気調養護貯蔵サブシステムもこのように動作する。
【００２８】
中央制御装置１３０は、端末ユーザ１４０と通信接続され、漢方薬材の気調貯蔵システムのリアルタイムデータを各端末ユーザ１４１〜１４２に転送する。ユーザのニーズ及びモニタリング管理の必要に応じて、１つ又は複数の端末ユーザ１４１〜１４２を設けてもよい。本発明に記述される端末ユーザは、ＰＣや、携帯電話、Ｐａｄ等であってもよい。
【００２９】
中央制御装置２１０における知能倉庫エキスパートシステム又は他のソフトウェア、システム等によって各主動気調養護貯蔵サブシステムの気密保囲空間中のガスパラメータを設定し、各気調養護貯蔵サブシステム１１０〜１２０の送信した情報を受信して分析し、各漢方薬材気調貯蔵サブシステム１１０〜１２０をリアルタイムで集中的にモニタリングする。知能倉庫エキスパートシステム又はその他のソフトウェア、システム等は自動的に低酸素装置２４１の稼動状態を制御し、乾燥、浄化、濾過及び窒素酸素分離することによって清浄な低酸素ガスが得られるように確保する。各気密保囲空間内の漢方薬材の養護貯蔵に必要な湿度に基づいてＰＩＤの精確な湿度の調整制御を行い、湿度制御装置２４２、空調システム２４３、制御弁２４４、バルブアクチュエータ２４５等の調整制御によって加湿ガスと非加湿ガスの割合を調節する。管路やガス制御弁等を介して適宜湿度の低酸素ガスを気密保囲空間に送る。気密保囲空間内の端末検出装置は、温度・湿度センサー２３１、圧力センサー２３２、Ｏ２センサー２３２、ＣＯ２センサー、ガス流量センサー２３５等の各種センサーによって、リアルタイムで気密保囲構造内のガスの各パラメータを検出し、検出値をリアルタイムに総合検査制御装置２２１〜２２３に転送し、さらに中央制御装置２１０にアップロードする。複数の主動気調養護貯蔵サブシステムのデータは、それぞれの総合検査制御装置２２１〜２２３を介して中央制御装置２１０にアップロードされ、ユーザ端末機器（例えば、ＰＣ、携帯電話、又はＰａｄ等）等と通信し、リアルタイムで各サブシステムの稼動データをチェックする。ユーザ端末機器の数は、ユーザのニーズに応じて１つ又は複数に設定してもよい。
【００３０】
図３は、本発明の一実施例による漢方薬材気調貯蔵サブシステムの模式図である。漢方薬材気調貯蔵サブシステム３００を例として、図１及び図３に示すように、１つの漢方薬材気調貯蔵サブシステム３００は図示のような１組の低酸素装置１１１、湿度制御装置１１２、気密保囲構造１１３、及び総合検査制御装置１１４を備えている。
【００３１】
低酸素装置１１１は、ガス圧縮ユニット３０１、窒素酸素分離ユニット３０２等を含んでもよい。ガス圧縮ユニット３０１は、窒素酸素分離ユニット３０２と共に低酸素装置１１１の本体を構成し、且つ、他の装置に動力ガス源を供給する。勿論、低酸素装置１１１は、他の素子を含んでもよく、又は本分野の他の技術で実現されてもよい。さらに、ガス圧縮ユニット３０１は、往復ピストン型、回転ブレード型、又は回転スクリュー型等であってもよい。窒素酸素分離ユニット３０２は、分子篩窒素製造装置、フィルム窒素製造装置、又は他の窒素製造装置を含む。
【００３２】
本発明の一実施例によると、ガス圧縮ユニット３０１と窒素酸素分離ユニット３０２との間には、空気清浄装置（図示せず）が含まれ、ガス圧縮ユニット３０１の出力したガスを清浄化する。例えば、空気清浄装置は、多段濾過装置及び／又は空気乾燥装置を含む。
【００３３】
本発明の一実施例によると、漢方薬材気調貯蔵サブシステム３００は、ガス調節装置をさらに備えてもよい。本発明の一実施例によると、ガス調節部分は、純度調節ユニット３０３とガス分配ユニット３０４とを含み、純度調節ユニット３０３、ガス分配ユニット３０４は、窒素酸素分離ユニット３０２の２つの出口と気密保囲構造１１３のガス入り口３０５との間にそれぞれ接続される。このような接続方式は可能な接続方式の１つに過ぎず、他の接続方式も可能である。例えば、純度調節ユニット３０３とガス分配ユニット３０４は、窒素酸素分離ユニット３０２の１つの出口に接続されてもよく、気密保囲構造１１３の２つのガス入り口にそれぞれ接続されてもよい。さらに、本発明の他の実施形態によると、純度調節ユニット３０３とガス分配ユニット３０４は同一の装置に統合されてもよい。
【００３４】
本発明の一実施例によると、湿度制御装置１１２は、除湿ユニットと増湿ユニット、又は両方の機能を併せ持つ装置を含む。湿度制御装置１１２は気密保囲構造１１３に入るガスの湿度を調整する。本発明の一実施例によると、湿度制御装置１１２は、低酸素装置１１１と気密保囲構造１１３との間の管路上のいずれか位置に配置されてもよい。
【００３５】
本発明の一実施例によると、湿度制御装置１１２は異なる湿度のガスを供給するように制御されてもよい。漢方薬材の養護貯蔵のニーズに応じて気密保囲空間内に入るガスの湿度をＰＩＤ精確制御して、加湿ガスと非加湿ガスの割合を調節し、空間内の湿度の安定性を維持し、薬材の水分を一定に保持する。
【００３６】
具体的に、気密保囲構造１１３における湿度が第１所定値より高く／第２所定値より低くなると、湿度制御装置１１２は第１湿度のガスを供給して気密保囲構造１１３における湿度が低下するよう／第２湿度のガスを供給して気密保囲構造１１３における湿度が向上するように制御される。気密保囲構造１１３における湿度が第３所定値より低く／第４所定値より高くなると、湿度制御装置１１２は動作を停止するか、又は第３湿度のガスを供給して気密保囲構造１１３における湿度が維持されるように制御され、これによって、気密保囲構造１１３の湿度を所定の範囲に制御する。
【００３７】
本発明の一実施例によると、漢方薬材の気調貯蔵システム１００は、１つ又は複数の気密保囲構造１１３１〜１１３４を備えてもよい。複数の気密保囲構造１１３１〜１１３４は組み合わせて使用することができる。気密保囲構造１１３は、容積や形態が異なる貯蔵室、書類整理棚、保管箱、及びフレキシブルテントや袋等の気密容器であってもよい。貯蔵しようとする漢方薬材の数量、類別、等級、養護時間及び養護目的等の条件に従って、以上の１つ複数の気密保囲構造１１３を組み合わせて使用することができる。
【００３８】
気密保囲構造１１３は容積の大きさが異なり、保囲構造の底部、立面及び頂部等について気密処理を行う必要があるだけでなく、さらに重要なのは、付帯の気密扉、ケーブル、管路等も取り扱うことである。一般的に、気密貯蔵室及び気密テントの換気率は０．０５／ｄ以下でなければならず、本発明の好ましい実施例によれば、０．０２／ｄに制御することが好ましい。気密貯蔵棚の換気率は０．０２／ｄ以下でなければならず、本発明の好ましい実施例によれば、０．０１／ｄに抑えることが好ましい。
【００３９】
本発明の一実施例によると、気密保囲構造１１３の容積が、例えば１００ｍ３以上を超えるほど大きい場合、薬材の安全な取出や放入を容易にするために、システムは、酸素増加装置１１７を配置して、気密保囲構造１１３内の各種ガスの含有量を保障するように配置されてもよい。本発明の他の実施例によると、気密保囲構造１１３は、容積が５００ｍ３以上である場合、作業員の安全な出入りを容易にするために、漢方薬材の気調貯蔵システムは呼吸装置（図示せず）等が配置されてもよい。
【００４０】
気密保囲構造１１３内に、気密保囲構造１１３におけるガスの温度、湿度、圧力、酸素ガス含有量、二酸化炭素含有量等を検知するためにガス検出装置１１５をさらに備えてもよい。本発明の一実施例によると、各気密保囲構造１１３１〜１１３４内には、いずれもガス検出装置１１５１〜１１５４が含まれている。
【００４１】
各気密保囲構造１１３１〜１１３４内のガス検出装置１１５１〜１１５４が採取した信号は、いずれもそれぞれのサブ領域内の総合検査制御装置１１４にアップロードされる。総合モニタリング装置１１４は受信したデータを設定値と比較し、フィードバック命令によって低酸素装置１１１、湿度制御装置１１２、空調システム１１６、制御弁１１８等の稼動状態を自動的に制御する。総合モニタリング装置１１４は、全てのモニタリングデータを中央制御装置１３０にアップロードしてデータ統合する。
【００４２】
本発明の一実施例によると、漢方薬材気調貯蔵サブシステム３００は、制御弁１１８をさらに備えてもよい。本発明の一実施例によると、各漢方薬材気調貯蔵サブシステム３００は、１つ又は複数の制御弁１１８１〜１１８４を備え、湿度制御装置１１２と各気密保囲構造１１３のガス出口１０５との間にいずれも制御弁１１８を備えるように配置することができる。制御弁１１８は処理器１０８に接続され、処理器１０８はその開閉を制御することによって気密保囲構造１１３に流入するガスの体積やガス流速等の制御を実現する。
【００４３】
漢方薬材気調貯蔵サブシステムは、複数の気密保囲構造１１３１〜３３１４を備えている場合、気密保囲構造１１３１〜１１３４は、例えば、独立並列型の接続、組分け並列型の接続、組分け直列型の接続等の複数の接続方式を有してもよい。複数の気密保囲構造１１３１〜１１３４が組み合わせて使用される場合、各制御弁１１８１〜１１８４の呼び径は気調養護湿度制御システムのガス量、接続形態等と整合すべきである。例えば、気密保囲構造１１３１〜１１３４が独立又は組分け並列型の接続を採用した場合、ガス流量は５〜１０ｍ／ｓに抑えることができる。また、気密保囲構造１１３１〜１１３４が組分け直列型の接続を採用した場合、ガス流量は３〜５ｍ／ｓに抑えることができる。各漢方薬材気調貯蔵サブシステム３００には、いずれもガスの流動や、排出等を制御するための１つ又は複数の制御弁１１８、又は分岐弁アクチュエータ（図示せず）が配置されている。本発明の一実施形態によると、気密保囲構造は不可欠な特徴ではない。
【００４４】
総合検査制御装置１１４は、ガス検出ユニット３０７、処理器３０８、及び表示スクリーン３０９等を含んでもよい。総合検査制御装置１１４は、サブシステム内の付帯装置の稼動状態、起動・停止順序等についてプログラム制御を行うことができ、複数の漢方薬材の気密保囲空間内のパラメータの独立設定、表示、格納等を実現でき、ガス調節システムの稼動と対応する気密保囲空間の制御弁１１８の起動・停止を制御して、気密保囲構造１１３内の貯蔵環境パラメータ等の集中、独立検査制御を実現する。
【００４５】
ガス検出ユニット３０７はガス検出装置１１５の信号を受信してガスの検出を実現する。ガス検出装置１１５とガス検出ユニット３０７は様々な形態で実現されることができる。例えば、ガス検出装置１１５は、ただ１つのセンサーであって、ガスへのサンプリングを実現し、サンプリングガスに対して検出した電気信号、赤外信号等の信号をガス検出ユニットに送信して処理させることができる。或いは、ガス検出装置１１５は、電気信号又は赤外信号の処理部を有し、処理された信号をガス検出ユニット３０７に送信することができる。ガス検出ユニット３０７は、受信した信号に基づいて対応する１種又は複数種のガスの濃度又は他の寸法に変換して、処理器３０８に送信する。
【００４６】
処理器３０８は、気密保囲構造１１３における酸素ガス及び／又は他のガスの濃度に基づいて、ガス圧縮ユニット、窒素酸素分離ユニットの起動／停止を制御し、純度調節装置とガス分配装置が気密保囲構造１１３におけるガスを置換するように制御する。さらに、処理器３０８は、表示スクリーン３０９を介して、使用者に気密保囲構造１１３における酸素ガス及び／又は他のガスの濃度を表示する。
【００４７】
処理器３０８は、気密保囲構造１１３の湿度に基づいて、湿度調節装置が湿度の異なるガスを供給して気密保囲構造１１３におけるガスを置換するように制御する。さらに、処理器は、表示スクリーン３０９を介して使用者に気密保囲構造１１３の湿度を表示する。
【００４８】
本発明の一実施例によると、総合検査制御装置１１４は入力ユニット（図示せず）をさらに備えてもよい。使用者は入力ユニットや表示スクリーン３０９とのインタラクションにより、本発明の漢方薬材気調貯蔵サブシステム３００を制御することができる。例えば、気密保囲構造１１３における酸素ガス及び／又は他のガスの所望濃度を設定すること、ガス圧縮ユニット３０１、窒素酸素分離ユニット３０２、純度調節ユニット３０３、及びガス分配ユニット３０４を制御する動作プログラムを設定すること、或いは、ガス検出装置１１５の感度を制御すること等がある。本発明の一実施例によると、表示スクリーン３０９は、タッチスクリーンであってもよく、表示と入力機能を同時に併せ持ってもよい。
【００４９】
本発明の一実施例によると、必要に応じて、漢方薬材気調貯蔵サブシステム３００は空調システム１１６をさらに配置してもよい。前記空調システム１１６は、空調制御装置１１６１、空調コンプレッサ１１６２、及び熱交換器＆ブロワ１１７等を備える。熱交換器＆ブロワは気密保囲構造１１３内に取り付けられ、各空調システム１１６は１つ又は複数の熱交換器＆ブロワ１１７１−１１７４を含む。空調制御装置１１６１は総合検査制御装置１１４に接続され、総合検査制御装置１１４は気密保囲構造１１３内のガス分布状況に基づいて、空調制御装置１１６１に命令を送信する。空調制御装置１１６１は命令を受信し、空調コンプレッサ１１６２及び熱交換器＆ブロワ１１７の動作を制御し、気密保囲構造１１３内のガス温度等をさらに調整制御する。
【００５０】
図４Ａは本発明の一実施例による純度調節ユニットの模式図である。図４Ａに示すように、純度調節ユニット４００は、ガス入り口４０１と、ガス出口４０２と、ガス入り口４０１とガス出口４０２との間の管路４０３とを備える。ガス入り口４０１は窒素酸素分離ユニット３０２のガス出口と接続される。本発明の一実施例によると、窒素酸素分離ユニット３０２は流量や濃度の異なる窒素ガスを供給することができる。さらに、管路４０３上には１つ又は複数の分岐弁、例えば第１分岐弁４０７、第２分岐弁４０８及び第３分岐弁４０９が備えられる。複数の分岐４０４〜４０６の一方端が各分岐弁４０７〜４０９に順に接続され、他方端がガス出口４０２に接続される。
【００５１】
図４Ｂは本発明の他の実施例による純度調節ユニットの模式図である。図４Ｂに示すように、純度調節ユニット４００は、ガス入り口４０１と、ガス出口４０２と、ガス入り口４０１とガス出口４０２との間の管路４０３とを備える。ガス入り口４０１は窒素酸素分離ユニット３０２のガス出口と接続される。本発明の一実施例によると、窒素酸素分離ユニット３０２は流量や濃度の異なる窒素ガスを供給することができる。さらに、管路４０３上には１つ又は複数の分岐４０４〜４０６、例えば第１分岐３０４、第２分岐４０５及び第３分岐４０６が備えられる。複数の分岐４０４〜４０６の一方端それぞれに分岐弁４０７〜４０９を備えている。複数の分岐４０４〜４０６はガス源４２０に接続されてもよい。ガス源４２０は窒素酸素分離ユニット３０２又は他のガス源であってもよい。
【００５２】
本発明の一実施例によると、複数の分岐４０４〜４０６は濃度や流量の異なる窒素ガスを供給することができる。例えば、複数の分岐４０４〜４０６は異なる配管径を有してもよい。或いは、弁４０７〜４０９は異なる大きさを有してもよい。処理器３０８は、弁４０７〜４０９の開閉を制御することができる。
【００５３】
本発明の一実施例によると、純度調節ユニット４００は、ガス中の酸素ガス等のガスの濃度を検出するためのガス検出ユニット４１１を備える。ガス検出ユニット４１１はガス出口４０２に配置してもよく、管路４０３に配置してもよい。本発明の他の実施例によると、ガス検出ユニット４１１は純度調節ユニット４００以外のガス管路に配置することができる。
【００５４】
本発明の一実施例によると、純度調節ユニット４００は、純度調節装置が供給するガスの流量を検出するための流量検出ユニット（図示せず）を備える。流量検出装置は、ガス出口４０２に配置されてもよく、管路４０３に配置されてもよい。本発明の他の実施例によると、流量検出ユニットは純度調節ユニット４００以外のガス管路に配置することができる。本発明の一実施例によると、ガス検出ユニット４１１と流量検出ユニットは互いに統合することができる。
【００５５】
本発明の一実施例によると、処理器３０８は、窒素酸素分離ユニット３０２が供給するガスの濃度と流量、及び複数の分岐４０４〜４０６が供給するガスの濃度と流量を制御することにより、純度調節装置４００で必要流量及び濃度のガスを供給する。ガス圧縮ユニット３０１と窒素酸素分離ユニット３０２は漢方薬材の気調貯蔵システムにおいて主要なエネルギー消費設備であるため、気密保囲空間内の低酸素の置換効率を向上させ、また、純度の異なる複数の窒素ガスの置換により、ガス圧縮ユニット３０１と窒素酸素分離ユニット３０２の稼動時間を低減し、エネルギー消費量を削減することができる。一方、本発明の純度調節ユニット４００は窒素酸素分離ユニット３０２と互いに協力して、気密保囲構造１１３に入ったガスを精細に調節することが可能となる。
【００５６】
図５は、本発明の一実施例による独立並列型の漢方薬材気調貯蔵サブシステムの接続模式図である。図５に示すように、複数の気密保囲構造５３１〜５３４は１つの総合検査制御装置５１０、低酸素装置、及び湿度制御装置を共用する。ここでは、低酸素装置と湿度制御装置を１つの低酸素湿度制御装置５２０に統合することができる。各気密保囲構造５３１〜５３４と低酸素湿度制御装置５２０との間には制御弁５４１〜５４４が含まれ、気密保囲構造５３１〜５３４に対して流入及び流出するガスの流速等を制御する。各気密保囲構造５３１〜５３４の内部には、ガス検出装置５５１〜５５４がさらに含まれ、位置している気密保囲構造中のガスの温度、湿度、圧力、酸素ガス含有量、二酸化炭素含有量等を検知し、全てのデータを総合検査制御装置５１０に送信する。
【００５７】
複数の気密保囲構造に異なる種類の漢方薬材がそれぞれ格納され、且つ各薬材の必要貯蔵条件が一致する、即ち低酸素装置、湿度制御装置と制御弁の呼び径等が整合している場合、各気密保囲構造で独立並列型の接続を採用することができる。
【００５８】
図５に示すように、複数の漢方薬材の気密保囲構造５３１〜５３４を独立に調節する必要がある場合、例えば、気密保囲構造５３１を独立に調節する場合、総合検査制御装置５１０が命令を発して制御弁５４２〜５４４は閉じられ、制御弁５４１は開かれ、総合検査制御装置が命令を送信して、気密保囲構造５３１に対して酸素低下・湿度制御処理を行う。その他の気密保囲空間の処理方式も類似であって、各気密保囲空間内のパラメータの独立な調節を実現する。各気密保囲空間内のパラメータは、それぞれの内部のガス検出装置を介して総合検査制御装置５１０に伝送され、データの処理、表示及び格納を完了する。
【００５９】
図６は、本発明の一実施例による組分け並列型の漢方薬材気調貯蔵サブシステムの接続模式図である。図６に示すように、複数の気密保囲構造６３１〜６３３、６４１〜６４３、６５１〜６５３は１つの総合検査制御装置６１０、低酸素装置、及び湿度制御装置を共用する。ここでは、低酸素装置と湿度制御装置を１つの低酸素湿度制御装置６２０に統合することができる。複数の気密保囲構造は、第１組が気密保囲構造６３１〜６３３を含み、第２組が気密保囲構造６４１〜６４３を含み、第Ｎ組が気密保囲構造６５１〜６５３を含む等のように、複数組に分けられる。
【００６０】
本発明の一実施例によると、各気密保囲構造６３１〜６３３の内部にはガス検出装置がさらに含まれる。例えば、気密保囲構造６３１にはガス検出装置６９１１が含まれ、気密保囲構造６３２にはガス検出装置６９１２が含まれ、気密保囲構造６３３にはガス検出装置６９１３が含まれること等である。よって、それが位置している気密保囲構造におけるガスの温度、湿度、圧力、酸素ガス含有量、二酸化炭素含有量等を検知し、全てのデータを総合検査制御装置６１０に送信する。図６に示すように、必要に応じて、各組の分岐に制御弁を配置するか、又は独立湿度制御ユニットを配置することができ、各気密保囲空間の分岐制御弁の開度を調節して、できる限り同組の各貯蔵室内のパラメータ領域が一致するようにする。例えば、第１組の気密保囲構造６３１〜６３３は制御弁６６０を、第２組の気密保囲構造６４１〜６４３は制御弁６７０を、第Ｎ組の気密保囲構造６５１〜６５３は制御弁６８０を含む等である。制御弁６６０〜６８０は、各組の気密保囲構造の集中制御弁である。
【００６１】
各組の気密保囲構造において、各気密保囲構造のガス入り口にも制御弁を含んでいる。第１組の気密保囲構造６３１〜６３３を例として、気密保囲構造６３２のガス入り口のパイプには分岐制御弁６６１、気密保囲構造６４１のガス入り口のパイプには分岐制御弁６６２、及び気密保囲構造６３３のガス入り口のパイプには分岐制御弁６６３が含まれること等である。その他の各組の気密保囲構造における構成はいずれも第１組の気密保囲構造と類似している。
【００６２】
ある漢方薬材の貯蔵空間内のパラメータが基準値に達したことを検出すると、システムは自動的に当該分岐制御弁を遮断することができる。使用の安全性を確保するため、同組の複数の空間が全部合格した後、同組にただ１つ又は幾つかが不合格であると、システムは自動的に空間内の端末圧力検出センサーによって空間内の圧力の安全検出を行うことができ、設定値を超えると、システムは自動的に窒素ガスの一部を空けるか、又は窒素製造システムの動作周波数を調節することができる。
【００６３】
低酸素湿度制御装置６２０が比較的に強い酸素低下・湿度制御能力を備え、且つ各薬材の必要貯蔵条件がほぼ一致する場合、資源の浪費を避けるために、一度で複数の空間に対して組分け並列型の酸素低下・湿度制御操作を行うことができる。
【００６４】
図７は、本発明の他の実施例による組分け並列型の漢方薬材気調貯蔵サブシステムの接続模式図である。その構成及び接続方式は図６と類似しており、同一漢方薬材気調貯蔵サブシステムにおいて、複数の湿度制御装置７３１〜７３３を含む点で異なっている。各組の気密保囲構造は１つの湿度制御装置を含む。例えば、第１組の気密保囲構造は第１湿度制御装置７３１を、第２組の気密保囲構造は第２湿度制御装置７３２を、第Ｎ組の気密保囲構造は第Ｎ湿度制御装置７３３を含む等である。湿度制御装置は低酸素装置７２０と各組の気密保囲構造の集中制御弁との間に取り付けられる。
【００６５】
各気密空間の迅速な酸素低下・湿度制御を実現するためには、図６に加え、各組の主管路に加湿量調整可能な湿度制御装置７３１〜７３３を配置する。複数組の気密保囲空間にパラメータが不合格であるただ幾つかの空間が生じると、システムは同時に複数組の、複数のパラメータが不合格である空間内のガスを独立に調節することができる。同一組内のある１つ又は幾つかの気調空間内のパラメータが合格すると、システムは自動的に対応する分岐の他の気調養護空間に切り替えることができる。
【００６６】
図８は、本発明の一実施例による組分け直列型の漢方薬材気調貯蔵サブシステムの接続模式図である。図８に示すように、複数の気密保囲構造はいずれも１つの総合検査制御装置８１０、低酸素装置、及び湿度制御装置を共用する。ここでは、低酸素装置と湿度制御装置を１つの低酸素湿度制御装置８２０に統合することができる。複数の気密保囲構造は複数の組に分けられる。例えば、第１組は気密保囲構造８３１〜８３３を含む。
【００６７】
本発明の一実施例によると、各気密保囲構造８３１〜８３３の内部にはガス検出装置がさらに含まれる。例えば、気密保囲構造８３１にはガス検出装置８４１が、気密保囲構造８３２にはガス検出装置８４２が、気密保囲構造８３３にはガス検出装置８４３が含まれる等である。よって、その位置している気密保囲構造中のガスの温度、湿度、圧力、酸素ガス含有量、二酸化炭素含有量等を検知し、全てのデータを総合検査制御装置８１０に送信する。
【００６８】
図８に示すように、必要に応じて、各組の分岐に制御弁を配置するか、又は独立湿度制御ユニットを配置することができ、各気密保囲空間の分岐制御弁の開度を調節して、できる限り同組の各貯蔵室内のパラメータ領域が一致するようにする。例えば、第１組の気密保囲構造８３１〜８３３は制御弁８５０を含む等である。制御弁８５０は、第１組の気密保囲構造の集中制御弁である。その他の各組はいずれも第１組の構成及び含まれている装置ユニットと類似している。
【００６９】
複数の気調養護空間内に格納された漢方薬材の種類が同一又は類似で互いに干渉しない場合は、図８に示すような組分け直列型の接続を採用して、酸素低下・湿度制御の速度を高めることができる。図８に示すように、直列する気密保囲空間の数は、制御の難しさの増加を避けるために、多すぎてはいけない。他の組の気密保囲空間のパラメータに対する酸素低下・湿度制御の干渉を回避するために、各組の気密保囲構造は、独立に調整制御するか、又は低酸素装置、湿度制御装置の酸素低下・湿度制御能力の許可範囲で、貯蔵パラメータが同じである数組の気調養護空間を同時に調整制御してもよい。組分け直列型の接続を採用している気密保囲空間において、同組の気密保囲空間の各パラメータは同じである。
【００７０】
図９は、本発明の他の実施例による組分け直列型の漢方薬材気調貯蔵サブシステムの接続模式図である。その構成及び接続方式は図８と類似しており、同一漢方薬材気調貯蔵サブシステムにおいて、複数の湿度制御装置９３１〜９３４を含む点で異なっている。各組の気密保囲構造は１つの湿度制御装置を含む。例えば、第１組の気密保囲構造は第１湿度制御装置９３１を、第２組の気密保囲構造は第２湿度制御装置９３２を、第Ｎ組の気密保囲構造は第Ｎ湿度制御装置９３４を含む等である。湿度制御装置は低酸素装置９２０と各組の気密保囲構造の集中制御弁との間に取り付けられる。
【００７１】
気調養護構造に対する低酸素装置と制御装置の酸素低下・湿度制御が十分である場合、各組の気調養護装置内に格納した漢方薬材の種類が同一又は類似で互いに干渉しない場合、組分け直列型の接続を採用して、システムの応用効率及び柔軟性を高めることができる。図８に示す接続形態に加え、各組の直列する主管路それぞれに湿度制御装置を配置して、複数組の気密保囲構造内の湿度、各種ガスの含有量等を独立に調整制御することができる。組分け直列型の接続を採用している気密保囲空間において、同組の気密保囲空間の各パラメータは同じである。
【００７２】
図１０は、本発明の一実施例による漢方薬材気調貯蔵サブシステムのガス調節方法のフローチャートである。図１０に示すように、ガス調節方法１０００は、窒素酸素分離ユニットにより第１濃度の第１ガスを供給するステップ１０１０と、管路上の弁を制御して、可変流量又は濃度の分岐ガスを供給するステップ１０２０とを含む。
【００７３】
本発明の一実施例によると、ステップ１０２０では、勾配で濃度の異なる窒素ガスを供給する。具体的に、本発明の一実施形態によると、ステップ１０２０は、管路上の弁を制御して、第１流量の分岐ガスを供給するステップ１０２１を含んでもよい。好ましくは、ステップ１０２２において、一定時間の経過後に、管路上の弁を制御して、第２流量の分岐ガスを供給する。好ましくは、ステップ１０２３において、一定時間の経過後に、管路上の弁を制御して、第３流量の分岐ガスを供給する。また、第１流量は第２流量よりも小さく、第２流量は第３流量よりも小さい。本発明の一実施形態によると、複数の分岐における複数の弁は、全部又は部分的に開けるか、或いは部分的又は全部閉じるように制御されてもよい。これによって、異なる流量の様々な分岐ガスを選択的に供給することができる。
【００７４】
本発明の他の実施形態によると、ステップ１０２０は、管路上の弁を制御して、第１濃度の分岐ガスを供給するステップ１０２２を含んでもよい。好ましくは、ステップ１０２２において、一定時間の経過後に、管路上の弁を制御して、第２濃度の分岐ガスを供給する。好ましくは、ステップ１０２３において、一定時間の経過後に、管路上の弁を制御して、第３濃度の分岐ガスを供給する。また、第１濃度は第２濃度よりも小さく、第２濃度は第３濃度よりも小さい。本発明の一実施例によると、複数の分岐における複数の弁は、全部又は部分的に開けるか、或いは部分的又は全部閉じるように制御されてもよい。これによって、異なる濃度の様々な分岐ガスを選択的に供給することができる。本発明の一実施例によると、迅速な置換効果を達成するように、流量と濃度の調節を同時に行うことができる。
【００７５】
ステップ１０３０において、窒素酸素分離ユニットにより第２濃度の第２ガスを供給し、ステップ１０４０において、管路上の弁を制御して、可変流量の分岐ガスを供給する。また、第２濃度は第１濃度よりも大きい。気密保囲構造で要求される酸素ガスの濃度は通常低いため、高濃度の窒素ガスを直接供給して置換すると、置換効率は高くなく、エネルギー消費量も増加しやすい。一方、勾配で酸素を低下させる場合、エネルギー消費量を最小限に抑え、置換効率を高めることができる。本発明の方法において、窒素酸素分離ユニットにより異なる濃度の窒素ガスを供給することは勾配方式の１つであり、可変流量の分岐ガスを増加することも同様に勾配方式の１つである。これにより、本発明の漢方薬材気調貯蔵サブシステムは高効率で省エネの目的を達成することができる。
【００７６】
ステップ１０５０において、窒素酸素分離ユニットにより第３濃度の第３ガスを供給し、ステップ１０６０において、管路上の弁を制御して、可変流量の分岐ガスを供給する。また、第３濃度は第２濃度よりも大きい。多勾配方式により、次第に気密保囲構造の必要な低酸素含有量に達し、低酸素環境を形成する。
【００７７】
本発明の一実施例によると、ガス調節方法は、予め設定した時間の経過後に、窒素酸素分離ユニット及び／又は複数の分岐における弁を調整して、異なる濃度のガスを供給するステップをさらに含む。
【００７８】
本発明の一実施例によると、ガス調節方法は、気密保囲構造におけるガスの濃度を検出し、検出した濃度に応じて窒素製造機及び／又は複数の分岐における弁を調整するステップをさらに含む。例えば、気密保囲構造中のガスの濃度が第１値に達すると、窒素製造機及び／又は管路における弁を調整して第１濃度のガスを供給する。また、気密保囲構造中のガスの濃度が第２値に達すると、窒素製造機及び／又は管路における弁を調整して第２濃度のガスを供給する。このように、気密保囲構造中のガスが必要な濃度になるまで調整する。
【００７９】
本発明の一実施例によると、ガス調節方法は、純度調節装置が供給するガスの濃度を検出し、検出した濃度及び流量に応じて窒素製造機及び／又は複数の分岐における弁を調整するステップをさらに含む。例えば、純度調節装置のガスの濃度が第１値に達すると、窒素製造機及び／又は管路における弁を調整して第１濃度のガスを供給する。また、純度調節装置のガスの濃度が第２値に達すると、窒素製造機及び／又は管路における弁を調整して第２濃度のガスを供給する。
【００８０】
本発明の一実施例によると、気密保囲構造中のガスの濃度と純度調節装置が供給するガスの濃度及び対応する時間を統合して、窒素製造機及び／又は複数の分岐における弁をより正確に制御できるようにする。例えば、気密保囲構造中のガスの濃度に基づいて窒素酸素分離ユニットの出力するガスの濃度を調整する。純度調節装置の供給するガスの濃度又は時間に基づいて、複数の分岐における弁を調整する。これにより、本発明は非常に柔軟なガス純度調節方式を提供し、気密保囲構造におけるガスの置換効率を最大限に高め、エネルギー消費量を低減することができる。
【００８１】
図１１は、本発明の一実施例によるガス分配装置の模式図である。図１１に示すように、ガス分配装置１１００は、ガス入り口１１０１と、ガス出口１１０２と、ガス入り口１１０１とガス出口１１０２との間の管路１１０３とを備える。ガス入り口１１０１は窒素酸素分離ユニットのガス出口と接続される。本発明の一実施例によると、窒素酸素分離ユニットは異なる流量及び異なる濃度の窒素ガスを供給することができる。さらに、管路には、１つ又は複数の分岐、例えば第１分岐１１０４、第２分岐１１０５、及び第３分岐１１０６が含まれる。複数の分岐１１０４〜１１０６の一方端は管路１１０４にそれぞれ接続され、他方端は弁１１０７〜１１０９を介して同一又は異なるガス源、例えば第１ガス源、第２ガス源、及び第３ガス源に接続される。本発明の一実施例によると、複数のガス源として、二酸化炭素、アルゴンガス又はその他のガスであってもよい。本発明の一実施例によると、各ガス源のガスは清浄処理及び／又は乾燥処理されている。
【００８２】
本発明の一実施例によると、複数の分岐１１０４〜１１０６は同一又は異なるガス源に接続されてもよい。処理器３０８は弁１１０７〜１１０９の開閉を制御することによって、各ガス源から管路１１０４にガスを供給することができる。本発明の一実施形態によると、複数の分岐１１０４〜１１０６が同一種類のガス源に接続されると、純度調節装置等の制御方法は、より正確にガスを分配するようにガス分配装置１１００にも適用できる。
【００８３】
本発明の一実施例によると、ガス分配装置の出口は純度調節装置の出口の後の管路と併合し、次に気密保囲構造に入って、気密保囲構造の入口を減少する。勿論、ガス分配装置は独立に気密保囲構造に入ってもよい。本発明の一実施例によると、気密保囲構造に入る前に流量計を備えて、気密保囲構造に入る総流量を測定する。
【００８４】
本発明の他の実施例によると、ガス分配装置は純度調節装置と同一装置に統合されてもよい。例えば、異なるガス源の管路は、純度調節装置の管路と近接して両者が同一装置に併合されてもよい。本発明の一実施例によると、各管路は、圧縮空気に接続されてもよく、異なるガス源に接続されてもよい。これによって、これらの管路をより柔軟に使用することができる。本発明の一実施形態によると、各弁は異なるＩＤを有し、制御部分では、ＩＤに従って弁をどのガス源に接続するかを設定することで、異なる制御を実現することができる。
【００８５】
図１２は、本発明の一実施例による漢方薬材の保存方法のフローチャートである。同図に示すように、保存方法１２００は、低酸素装置により第１濃度のガスを供給するステップ１２１０と、ガス調節装置により異なる濃度、流量及び／又は種類のガス、例えば二酸化炭素、アルゴンガス又は他の種類のガスを供給するステップ１２２０と、湿度制御装置によりガスの湿度を調節するステップ１２３０と、低酸素装置により第１濃度よりも大きい第２濃度のガスを供給するステップ１２４０と、を含む。本実施例の方法は、勾配で気密保囲構造内の酸素含有量を低下させる方法を提供している。ステップ１２２０では、殺虫効果を向上するための補助ガス、例えば二酸化炭素、アルゴンガス又は他の種類のガスを供給して、低酸素の時間を削減し、エネルギーを節約することができる。
【００８６】
本発明の一実施形態によると、本発明の方法は、気密保囲構造に入るガスの湿度を調節するステップをさらに含む。
【００８７】
本発明の一実施形態によると、本発明の方法は、ガス調節部分により分岐ガスを供給するステップをさらに含む。分岐ガスは圧縮空気であってもよい。分岐ガスの供給により低酸素装置の供給するガスの流量を低減でき、これによってエネルギー消費量を削減できる。さらに、分岐ガスを供給してもガスの置換効率を低下しない。
【００８８】
本発明の一実施形態によると、本発明の方法は、一定時間の経過、或いはガス調節装置又はガス調節装置の後のガス検出装置又は気密保囲構造のガス検出装置からの情報に応じて、窒素製造部分により第２濃度のガスを供給するか、又は分岐ガスの流量を変化させるステップをさらに含む。本発明は非常に柔軟な制御方式を提供しており、予め設定したプログラム、又はガス調節装置が出力したガス濃度の変化、又は気密保囲構造のガス濃度の変化に応じて、異なる濃度の窒素ガスを供給するように窒素製造機を制御するか、又は異なる流量の分岐ガスを供給するように複数の分岐における弁を制御することができる。
【００８９】
例えば、本発明の一実施形態は、気密保囲構造のガス検出装置からの情報に応じて、窒素製造部分により第２濃度のガスを供給し、一定時間の経過、或いはガス調節装置又はガス調節装置の後のガス検出装置からの情報に応じて、分岐ガスの流量を変化させることができる。
【００９０】
同様の制御方式は異なる種類のガスの供給にも適用することができる。本発明の一実施形態によると、本発明の方法は、一定時間の経過、或いはガス調節装置又はガス調節装置の後のガス検出装置又は気密保囲構造のガス検出装置からの情報に応じて、ガス調節部分により異なる種類のガスの流量を変化させるステップをさらに含む。
【００９１】
上記の方法の流れを実現するために、本発明は知能倉庫エキスパートシステムも提供しており、気調養護と気調殺虫等の機能を実現すると共に、その他の付加的倉庫管理機能も実現できる。中央制御装置１１０は、知能倉庫エキスパートシステムによって、漢方薬材の気調貯蔵システムに対するパラメータ設定やリアルタイム管理を行う。具体的な実現形態は次の通りである。
【００９２】
図１３は、本発明の一実施例による知能倉庫エキスパートシステムの構成ブロック図である。図１３に示すように、知能倉庫エキスパートシステム１３００は、パラメータ設定モジュール１３１０と、情報照会モジュール１３２０と、リアルタイム表示モジュール１３３０と、故障情報モジュール１３４０と、データ格納モジュール１３５０と、遠隔モニタリングモジュール１３６０と、カツタム倉庫管理モジュール１３７０とを含むが、これらに限定されるものではない。各モジュールの機能について、以下で詳しく説明する。このシステムで言及した設備とは、上記した漢方薬材の気調貯蔵システム又は漢方薬材気調貯蔵サブシステムである。
【００９３】
図１４は、本発明の一実施例によるパラメータ設定モジュールの構成ブロック図である。本発明の一実施例によると、パラメータ設定モジュール１４００は、漢方薬材の気調貯蔵システムの各パラメータを設定することができる。例えば、動作モードの選択、貯蔵漢方薬材の数量、時間、貨物番号又はロット番号等、気密保囲構造中の酸素含有量、温度、湿度、圧力等のパラメータの設定等がある。本発明の他の実施例によると、知能倉庫エキスパートシステムで薬材種類を選択することによって、システムが自動的に対応する気調パラメータを生成してもよい。例えば、クコを選択すると、システムは自動的に気調パラメータ、例えば酸素含有量３％、温度５℃、湿度値５０％ＲＨ等を生成し、ムカデを選択すると、システムは自動的に気調パラメータ、例えば酸素含有量５％、温度５℃、湿度値：５０％  ＲＨ等を生成する。ここで例示したパラメータはあくまでも参考用であり、本発明の保護範囲を制限するためのものではない。勿論、実際貯蔵の必要に応じて、ユーザは手動で気調パラメータを入力してもよい。
【００９４】
図１４に示すように、パラメータ設定モジュール１４００は、動作モード及び貯蔵室選択１４１０、酸素含有量設定１４２０、温度・湿度設定１４３０、入庫時間設定１４４０、薬材品種及び入庫量選択１４５０、ロット番号及び検査員選択１４６０等を含む。
【００９５】
そして、動作モード及び貯蔵室選択１４１０は、特定の貯蔵室を選択すること、その殺虫モード、養護モード又は他の動作モードを設定すること等を含むことができる。同時に、選択した動作モードに応じて対応する酸素含有量１４２０、温度・湿度１４３０及び入庫時間１４４０を設定する。
【００９６】
薬材品種及び入庫量選択１４５０は、システム内に格納した薬材種類から格納しようとする薬材品種を選択することができる。例えば、クコを選択すると、システムは自動的に気調パラメータ、例えば酸素含有量３％〜５％、好ましくは３％、温度５℃〜２０℃、好ましくは５℃以下、湿度範囲：３５％〜６０％ＲＨ、好ましくは５０％等を生成し、ムカデを選択した場合の気調パラメータは、酸素含有量３％〜５％、好ましくは５％、温度５℃〜２０℃、好ましくは５℃以下、３５％〜６５％ＲＨ、好ましくは５０％等である。作業員は経験及びシステムの推奨に従って、各パラメータを設定することが好ましい。ここで例示したパラメータはあくまでも参考用であり、本発明の保護範囲を制限するためのものではない。
【００９７】
図１５は、本発明の一実施例による情報照会モジュールの構成ブロック図である。情報照会モジュール１５００は、複数の情報を集約した大規模データベースである。図１５に示すように、情報照会モジュール１５００は、薬材基本情報照会１５１０と、殺虫気調パラメータ照会１５２０と、養護気調パラメータ照会１５３０と、薬材同貯蔵性照会１５４０と、最適時間照会１５５０と、異なる薬材の有り触れ害虫照会１５６０とを含むが、これらに限定されるものではない。
【００９８】
また、薬材基本情報照会１５１０は、薬材の主要産地、成長習性及び採集季節、主要薬性成分及び所定の下限値、貯蔵有り触れ問題、その他の類似な薬材等を照会することを含む。殺虫気調パラメータ照会１５２０と養護気調パラメータ照会１５３０は、数百種乃至数千種の漢方薬材の最適な殺虫及び養護気調パラメータの照会を実現することができる。本発明の一実施例によると、漬物の殺虫／養護気調照会方式は、名称照会、分類照会、産地照会等の複数の照会方式であってもよい。例えば、分類照会は、根と根茎系、花系、果実系、種子系、草葉系のような植物組織系薬材、動物系薬材、鉱物系薬材等の分類による照会であってもよい。
【００９９】
【数４】
2021512026.tif 000006
【０１００】
さらに、例えば、クコの殺虫／養護気調パラメータは、酸素含有量３％〜５％、温度５℃〜２０℃、湿度範囲：３５％〜６０％ＲＨ、最適貯蔵時間３〜６ヶ月であり、柏子仁の殺虫／養護気調パラメータは、酸素含有量２％〜４％、温度５℃〜２０℃、３５％〜６０％ＲＨ、最適貯蔵時間３〜６ヶ月であり、ムカデの殺虫／養護気調パラメータは、酸素含有量３％〜５％、温度５℃〜２０℃、３５％〜６５％ＲＨ、最適貯蔵時間６〜１２ヶ月である。ここで、パラメータは本発明の一実施例に過ぎず、本発明の保護範囲については何の制限も加えない。説明すべき点は、薬材の殺虫気調パラメータと養護気調パラメータは異なってもよいということである。
【０１０１】
【数５】
2021512026.tif 000007
【０１０２】
最適時間照会１５５０は、最適殺虫時間及び最適養護時間の照会を含む。殺虫養護時間を厳格に制御すると、薬材の完全性を保存し、薬材の薬性を保留することができる。有り触れ害虫照会１５６０は、薬材同貯蔵性照会１５４０と組み合わせて、薬材の貯蔵コストを削減し、薬材の品質が向上することができる。
【０１０３】
図１６は、本発明の一実施例による情報照会モジュールの構成ブロック図である。必要に応じて、リアルタイム表示モジュール１６００は表示スクリーン又は端末機器への上記に言及した各パラメータ、例えば、設備の動作モード１６１０、気密養護構造の酸素含有量１６２０、気密養護構造の温度・湿度１６３０、設備稼動状態１６４０、設備累積稼動時間１６５０、貯蔵室番号及び所属庫エリア１６６０等の情報のリアルタイム表示を実現することができる。
【０１０４】
【数６】
2021512026.tif 000008
【０１０５】
図１７は、本発明の一実施例による故障情報モジュールの構成ブロック図である。故障情報モジュール１７００には、漢方薬材の気調貯蔵システムに対する各パラメータ指標の警告値及び警報値を含む。図１７に示すように、故障情報モジュール１７００は、警告情報１７１０、警報情報１７２０、メンテナンス情報１７３０、設備間及び通過低酸素警報１７４０、貯蔵室緊急警報１７５０等の機能を含むが、これらに限定されない。故障情報モジュール１７００は、各部分の情報監視設備の稼働状態、貯蔵室安全状態によって、設備の安全を守る。
【０１０６】
漢方薬材の気調貯蔵システムの動作過程において、総合検査制御装置は受信した情報を中央制御装置のエキスパート制御システムに送信する。送信方式は、４〜２０ｍＡアナログ量信号、４８５通信信号或いは無線ネットワーク等の方式であってもよい。漢方薬材の気調貯蔵システムにおけるある１つ又は幾つかのパラメータ指標が警告又は警報値に達すると、警報器は警告提示を発するか、音響光学的に警報を発するか、又は停止警報を発して、作業員を提示する。本発明の一実施例によると、パラメータ指標が予め設定値を大幅に上回ったり下回ったりすると、漢方薬材の気調貯蔵システムは自動的に停止する可能性がある。例えば、貯蔵室の回廊や設備間が低酸素状態にあり、且つ酸素含有量が１７％よりも低い場合、警報器は警報提示を発し、漢方薬材の気調貯蔵システム、貯蔵室及び作業員の安全を保障する。
【０１０７】
図１８は、本発明の一実施例によるデータ格納モジュールの構成ブロック図である。図１８に示すように、データ格納モジュール１８００は、設備累積稼動情報１８１０、貯蔵室気調パラメータ累積情報１８２０、累積警報情報１８３０、登録情報１８４０、累積殺虫数量及び品種１８５０、仕事中作業者情報１８６０等の内容の格納機能を実現することができる。
【０１０８】
貯蔵室及び設備累積稼動情報１８１０は、漢方薬材の気調貯蔵システムの温度・湿度、酸素含有量、起動／停止状態、システム累積稼動時間、故障警報情報等を含んでもよい。本発明の一実施例によると、データ格納モジュールは、必要に応じてデータテーブル又は折れ線グラフを導出することができる。データ格納モジュール１８００は、薬材の入庫から貯蔵、出庫までの全過程の全ての情報を記録して、薬材貯蔵のトレーサビリティ管理を実現することができる。
【０１０９】
図１９は、本発明の一実施例によるデータ格納モジュールの構成ブロック図である。図１９に示すように、遠隔モニタリングモジュール１９００は、設備状態及び累積時間１９１０、貯蔵室関連パラメータ１９２０、警報情報１９３０、パラメータ照会及び設定１９４０等のモジュール機能を実現することができ、ニーズ情報に応じてモジュールを追加しても構わない。
【０１１０】
本発明の一実施例によると、遠隔モニタリングモジュール１９００は、上記の１９１０〜１９４０のようなデータをユーザ端末（例えばＰＣ、携帯電話、Ｐａｄ等）にアップロードすることができる。ユーザ端末はデータを受信し、ユーザはシステムの稼動状態をチェックし、パラメータ照会やデータ分析等の操作を行うことができる。本発明の一実施例によると、ユーザよって異なるレベルのチェックや分析操作の権限がある。
【０１１１】
本発明の一実施例によると、遠隔モニタリングモジュール１９００は、端末が採取したデータを遠隔設備に転送することによって実現されてもよい。さらに、各殺虫又は養護貯蔵室にインダストリアルルータ１９７０を１台取り付けて、４Ｇ／ＷＩＦＩ／ブロードバンド等でインターネットに接続可能にする。各殺虫又は養護貯蔵室に、貯蔵室内の全てのセンサーのデータを採取・保存するためのクラウド・ボックス１９８０を１台インストールする。クラウド・ボックス１９８０の内部通信パラメータを設定して、採取した重要なパラメータを対応する作業員にプッシュできるようにする。必要に応じて、各殺虫又は養護貯蔵室、設備間、回廊等の場所にカメラやハードディスクレコーダーを取り付けて、貯蔵室の状態を遠隔チェックしてよい。また、中央制御センター１９５０にプライベート・クラウドをインストールし、クラウド・ボックスに同梱されるスキャダソフトウェア（supervisory control and data acquisition：SCADA）とデータソフトウェアをプライベート・クラウドにインストールし、採取した全てのデータをデータベースに格納し、権限の設定（例えば、パワーユーザ又は標準ユーザ）によってアクセスすることができる。中央データセンターへの外部ネットワークのサイバー攻撃を阻止するために、中央制御センター１９５０のネットワークの出口にインダストリアルファイアウォール１９６０を追加して、データセンターのネットワークセキュリティを保護する。インダストリアルルータ１９７０は、当該設備と中央制御センター１９５０とのネットワーク接続を可能にし、情報センターのデータソフトウェアはクラウド・ボックス１９８０内の全てのデータを直接読み取り、データセンターに格納してデータ分析を行うことができる。
【０１１２】
図２０は、本発明の一実施例によるカツタム倉庫管理モジュールの構成ブロック図である。図２０に示すように、カツタム倉庫管理モジュールは、作業者管理モジュール２０１０、倉庫管理モジュール２０２０、庫エリア区分けモジュール２０３０、及び消防安全対策モジュール２０４０等を含む。本発明の一実施例によると、実際の適用状況に応じて対応するサブモジュールを開発することもできる。カツタム倉庫管理モジュールは、開放的で、ニーズに応じて関連情報を埋め込むことができ、また必要に応じてモジュールを区分けすることができる。よって、作業者による管理を容易にし、仕事の品質を保証すると共に、さらに漢方薬材の品質を保証することができる。
【０１１３】
例えば、本発明の一実施例によると、作業者管理モジュール２０１０は、作業員の氏名、勤務番号、勤務先、毎日の業務記録、出勤・署名状況等を登録し、必要に応じて呼び出してチェックするように情報を保存又はアップロードすることができる。倉庫管理モジュール２０２０は、区分けした庫エリアに応じて漢方薬材の名称、在庫量、毎回配送量、残量、配送時間、配送者等を記録して、後期の情報のトレーサビリティ等を容易にすることができる。その他のモジュールは、必要に応じて具体的な機能をカスタマイズできる。
【０１１４】
上記の実施例は、単に本発明を説明するためのものであり、本発明を制限するためのものではない。なお、当業者であれば、本発明の範囲を逸脱せずに、各種の変化や変形を行うことができるため、全ての同等な技術案も本発明に含まれるべきである。
【図１】
2021512026.tif 000009
【図２】
2021512026.tif 000010
【図３】
2021512026.tif 000011
【図４Ａ】
2021512026.tif 000012
【図４Ｂ】
2021512026.tif 000013
【図５】
2021512026.tif 000014
【図６】
2021512026.tif 000015
【図７】
2021512026.tif 000016
【図８】
2021512026.tif 000017
【図９】
2021512026.tif 000018
【図１０】
2021512026.tif 000019
【図１１】
2021512026.tif 000020
【図１２】
2021512026.tif 000021
【図１３】
2021512026.tif 000022
【図１４】
2021512026.tif 000023
【図１５】
2021512026.tif 000024
【図１６】
2021512026.tif 000025
【図１７】
2021512026.tif 000026
【図１８】
2021512026.tif 000027
【図１９】
2021512026.tif 000028
【図２０】
2021512026.tif 000029
【手続補正書】
【提出日】令和1年11月5日(2019.11.5)
【手続補正２】
【補正対象書類名】明細書
【補正対象項目名】０００１
【補正方法】変更
【補正の内容】
【０００１】
本発明は、薬品の貯蔵分野に関し、特に、気調貯蔵システム及びその制御方法に関する。
【手続補正３】
【補正対象書類名】明細書
【補正対象項目名】０００２
【補正方法】変更
【補正の内容】
【０００２】
気調貯蔵は、文物、図書、ファイル、掛け軸の保護及び漢方薬材の貯蔵など多くの分野において応用されている。以下のように、本発明の技術思想について、漢方薬材を例にとって説明する。漢方薬材は、薬用価値の高い作物として、病気の予防や保健に大きな役割を果たしており、その品質は、その産地、貯蔵方式や環境と密接に関係している。漢方薬材は貯蔵過程において、温度、湿度、空気、光照射、カビと害虫等の要因に影響され、しばしばカビの発生、虫食い、変色、油浮き、風化等の現象が現れて、薬効を低下・消失させ、さらに毒副作用を生じさせ、特に大量の漢方薬材を保存する場合、このような問題がより深刻となり、その経済的利益に影響を及ぼすだけでなく、漢方薬材の臨床応用の有効性と安全性も奪うことになる。
【国際調査報告】
2021512026.tif 000030
2021512026.tif 000031
2021512026.tif 000032
2021512026.tif 000033